(57)【要約】【目的】  本案は、高周波加熱により、高温高圧蒸気及び超高温蒸気を発生させ、これを土壌や機器や生物や植物等に直接噴射し高温により病原菌を殺菌する。【構成】  高周波加熱により高温高圧蒸気（例１２０℃から１５０℃程度）を発生させ、更に、高周波加熱により高温高圧蒸気を再加熱し、高熱量の超高温蒸気（例２００℃から８００℃程度）を発生させ、これを土壌や機器や生物や植物に噴射し高温により病原菌を殺菌する。高周波加熱により圧縮空気を加熱（例２００℃から８００℃程度）し高温圧縮空気を発生させ、これを噴射し高温により病原菌を殺菌する。又、高温蒸気に静電気を印加し、超高温蒸気を集中噴射させ局部を均一に殺菌出来るようにした滅菌装置。消毒液や殺菌剤を使用しないため使用済みの消毒液や殺菌剤の処理もなく、装置も安価になった。【選択図】図１
2005218809.tif 000002
【特許請求の範囲】
【請求項１】
高周波加熱により高温高圧蒸気を発生させ、これを土壌や機器や生物や植物等に噴射し高温により病原菌を殺菌する殺菌装置。
【請求項２】
高周波加熱により高温高圧蒸気を再加熱し超高温蒸気を発生させ、これを土壌や機器や生物や植物等に噴射し高温により病原菌を殺菌する殺菌装置。
【請求項３】
高周波加熱により圧縮空気を加熱し、これを土壌や機器や生物や植物等に噴射し高温により病原菌を殺菌する殺菌装置。
【請求項４】
【請求項１】
【請求項２】
【請求項３】
の装置を組み合わせ、これを土壌や機器や生物や植物等に噴射し高温により病原菌を殺菌する殺菌装置。
【請求項５】
噴射部および土壌や機器等に直流電圧、又は、静電気を発生させ土壌や機器や生物や植物等に集中噴射し高温により病原菌を殺菌する、
【請求項１】
【請求項２】
【請求項３】
及び
【請求項４】
を特徴とする殺菌装置。
【発明の詳細な説明】
【特許の詳細な説明】
【背景技術】
【０００１】  従来、高温により病原菌を殺菌するには、機器を煮沸消毒や。又、消毒液や殺菌剤を用いて土壌や機器や生物や植物に散布や塗布して殺菌していた。
【発明が解決しようとする課題】
【０００２】本案は、これらを改善させるもので上記の目的を達成するために、高周波加熱により発生させた、高温高圧蒸気及び超高温蒸気を土壌や機器や生物や植物等に直接噴射し高温により病原菌を殺菌する殺菌装置とした。
【０００３】  土壌や機器や生物や植物等により、次の各方法で処理する。高周波加熱により高温高圧蒸気（例１２０℃から１５０℃程度）を発生させ、これを土壌や機器や生物や植物に噴射し高温により病原菌の殺菌を行う。又、更に、高周波加熱により高温高圧蒸気を再加熱し、高熱量の超高温蒸気（例２００℃から８００℃程度）を発生させ、これを土壌や機器や生物や植物に噴射し超高温により病原菌の殺菌するを行う。高周波加熱により圧縮空気を加熱（例２００℃から８００℃程度）し高圧圧縮空気を発生させ、これを土壌や機器や生物や植物に噴射し高温により病原菌の殺菌を行う。これらを組み合わせて高温により病原菌の殺菌を行う。又、高温蒸気と土壌や機器や生物や植物に静電気を印加し、集中噴射させ局部を均一に殺菌出来るようにした殺菌装置。
【０００４】  以下、動作原理を各図により説明をする。
【０００５】  図１殺菌装置の原理図において
主な構成は、蒸気発生装置１、蒸気加熱装置８、圧縮空気加熱装置１５、放射ノズル１４、静電発生装置２５がある。
【０００６】  蒸気発生装置１は、高周波加熱装置２と高周波加熱コイル３で構成されている。高周波加熱装置２からの高周波電力４が高周波加熱コイル３に供給されると、供給水５は蒸気発生装置１内部で加熱され蒸気６となる、圧力検出器７の指示に従い高周波電力４を制御調整し一定の圧力の蒸気６（例０．２ＭＰａ）を発生させ、蒸気加熱装置８に供給する。
【０００７】  蒸気加熱装置８は、高周波加熱装置９と高周波加熱コイル１０で構成されている。蒸気発生装置１から供給された蒸気６（例０．２ＭＰａ）は、高周波加熱装置９からの高周波電力１１が高周波加熱コイル１０に供給されると、蒸気加熱装置８内部で高温に加熱され高熱量の超高温蒸気１２となる、温度検出器１３の指示に従い高周波電力１１を制御調整して、超高温蒸気１２（例０．２ＭＰａ、２００℃から８００℃程度）となり放射ノズル１４へ供給する。
【０００８】  圧縮空気加熱装置１５は、高周波加熱装置１６と高周波加熱コイル１７で構成されている。高周波加熱装置１６からの高周波電力１８が高周波加熱コイル１７に供給されると、コンプレッサー１９からの圧縮空気２０は圧縮空気加熱装置１５内部で加熱され高温圧縮空気２１となる、温度検出器２２の指示に従い高周波電力１８を制御調整し一定の高温圧縮空気２１（例０．２ＭＰａ、１００℃から８００℃程度）が発生し、放射ノズル１４へ供給する。
【０００９】  放射ノズル１４は、蒸気加熱装置８からの超高温蒸気１２（例０．２ＭＰａ、２００℃から８００℃程度）と圧縮空気加熱装置１５からの高温圧縮空気２１（例０．２ＭＰａ、１００℃から８００℃程度）を混合させ、混合超高温蒸気２３を土壌や機器や生物や植物２４に放射して、土壌や機器や生物や植物２４の病原菌を殺菌する。
【００１０】  静電発生装置２５は、土壌や機器や生物や植物２４と放射ノズル１４に高圧電位２６を印加させ、混合超高温蒸気２３を集中放射して、混合超高温蒸気２３の分散を防ぎ、局部を均一に病原菌の殺菌をする。
【発明の効果】
【００１２】  土壌や機器や生物や植物等の対象面に放射するだけで操作が簡単になり、技術者が不用となる。高周波加熱を利用するため、炭酸ガス等の発生や空気汚染がない、又、急速高温加熱が可能となり滅菌処理時間も短縮される。滅菌が均一に処理出来る。消毒液や殺菌剤が不要となる。
【図面の簡単な説明】
【図１】溶液浄化装置の原理図
【符号の説明】
１、蒸気発生装置
２、高周波加熱装置
３、高周波加熱コイル
４、高周波電力
５、供給水
６、蒸気
７、圧力検出器
８、蒸気加熱装置
９、高周波加熱装置
１０、高周波加熱コイル
１１、高周波電力
１２、超高温蒸気
１３、温度検出器
１４、放射ノズル
１５、圧縮空気加熱装置
１６、高周波加熱装置
１７、高周波加熱コイル
１８、高周波電力
１９、コンプレッサー
２０、圧縮空気
２１、高温圧縮空気
２２、温度検出器
２３、混合超高温蒸気
２４、土壌や機器や生物や植物
２５、静電発生装置
２６、高圧電位
【図１】
2005218809.tif 000003
【手続補正書】
【提出日】平成16年7月31日(2004.7.31)
【手続補正１】
【補正対象書類名】特許請求の範囲
【補正対象項目名】全文
【補正方法】変更
【補正の内容】
【特許請求の範囲】
【請求項１】
高周波加熱により高温高圧蒸気を発生させ、これを土壌や機器や生物や植物等に噴射し高温により病原菌を殺菌する殺菌装置。
【請求項２】
高周波加熱により高温高圧蒸気を再加熱し超高温蒸気を発生させ、これを土壌や機器や生物や植物等に噴射し高温により病原菌を殺菌する殺菌装置。
【請求項３】
高周波加熱により圧縮空気を加熱し、これを土壌や機器や生物や植物等に噴射し高温により病原菌を殺菌する殺菌装置。
【請求項４】
請求項１、請求項２、請求項３の装置を組み合わせ、これを土壌や機器や生物や植物等に噴射し高温により病原菌を殺菌する殺菌装置。
【請求項５】
噴射部および土壌や機器等に直流電圧、又は、静電気を発生させ土壌や機器や生物や植物等に集中噴射し高温により病原菌を殺菌する、請求項１、請求項２、請求項３、請求項４を特徴とする殺菌装置。